(57)【要約】【課題】  小便の飛び散りや垂れによる汚れを無くし、臭気の発生を抑えることが可能な小便器を提供することを目的とする。【解決手段】  排尿者と対向する立壁部（４）と、立壁部の下側に排尿者側に突出する垂れ受け部（２）とが形成された小便器であって、垂れ受け部（２）は排尿者が跨いで立つことができるような幅で突出し、さらに、立壁部（４）の中段に清浄水を貯留し排尿時の標的となり得る貯留池（５）備えたことを特徴とする。【選択図】      図１
0003107169.tif 000002
【実用新案登録請求の範囲】
【請求項１】
排尿者と対向する立壁部と、前記立壁部の下側に前記排尿者側に突出する垂れ受け部とが形成された小便器であって、
前記垂れ受け部は、前記排尿者が跨いで立つことができるような幅で前記突出し、
前記立壁部の前記排尿者側の中段に清浄水を貯留して排尿時の標的となり得る貯留池を有することを特徴とする小便器。
【請求項２】
排尿者と対向する立壁部と、前記立壁部の下側に前記排尿者側に突出する垂れ受け部とが形成された小便器であって、
前記垂れ受け部は、前記排尿者が跨いで立つことができるような幅で前記突出し、
前記立壁部の前記排尿者側の中段に清浄水を貯留して排尿時の標的となり得る貯留池を有し、
前記貯留池に、前記清浄水を供給する給水口を備えることを特徴とする小便器。
【考案の詳細な説明】
【技術分野】
【０００１】
本考案は、小便器に関するものであり、特に、小便が便器外に飛散するのを防止するためのものである。
【背景技術】
【０００２】
男子の小便器は、主に公共の施設で多く設置されていて、近年、自動清浄機能付の小便器が主流になっている。また、この自動清浄機能付の小便器は、使用後の清浄水の流し忘れを無くすので小便器の汚れを発生しにくい。
【０００３】
しかしながら、排尿者の立つ位置が悪いために、小便が飛び散ったり、小便が垂れたりして小便器近傍の床面を汚すことがある。また、床が小便で汚れている場合には、小便器から離れようとする心理により、更に離れた位置に排尿者が立つので、繰り返し小便を垂らすことになる。この垂れた小便は、清浄水では清浄されないので、床は汚れたままで、臭気を発生することになる。
【０００４】
そこで、小便器の前に「もう一歩前へ、汚さないように」等の注意書きを設けているものや、さらに効果を上げるように排尿者と小便器との距離を測るセンサーを設け測定結果に基づいて排尿者に位置の是正を促すもの（例えば、特許文献１。）などが提案されている。
【０００５】
【特許文献１】特開２００２−５４２１８号公報
【考案の開示】
【考案が解決しようとする課題】
【０００６】
しかしながら、小便の垂れによる汚れは、排尿者自身の立つ位置によるものであり、上述のような注意を実施しても、排尿者が小便器に寄らなければなくなることは無い。
【０００７】
本考案は、上記事情に鑑みてなされたものであり、その目的とするところは、小便の飛び散りや垂れによる汚れを無くし、臭気の発生を抑えることが可能な小便器を提供することにある。
【課題を解決するための手段】
【０００８】
上記目的を達成するために、請求項１記載の考案は、排尿者と対向する立壁部と、前記立壁部の下側に前記排尿者側に突出する垂れ受け部とが形成された小便器であって、前記垂れ受け部は、前記排尿者が跨いで立つことができるような幅で前記突出し、前記立壁部の前記排尿者側の中段に清浄水を貯留して排尿時の標的となり得る貯留池を有することを特徴としている。
【０００９】
また、請求項２記載の考案は、排尿者と対向する立壁部と、前記立壁部の下側に前記排尿者側に突出する垂れ受け部とが形成された小便器であって、前記垂れ受け部は、前記排尿者が跨いで立つことができるような幅で前記突出し、前記立壁部の前記排尿者側の中段に清浄水を貯留して排尿時の標的となり得る貯留池を有し、前記貯留池に、前記清浄水を供給する給水口を備えることを特徴としている。
【考案の効果】
【００１０】
請求項１に記載の考案によれば、貯留池が排尿時の標的となるので、排尿者は近づこうとする。そのとき、垂れ受け部が排尿者が跨ぐことができる幅であるため排尿者は小便器側に近づき排尿する。したがって、貯留池により小便が飛び散らず、垂れ受け部により小便の垂れを受けるので、床を汚さず、臭気の発生を抑えることが可能である。
【００１１】
請求項２に記載の考案によれば、貯留池の清浄水の入れ替えを貯留池の給水口から噴出する清浄水により行うほうが、上側から流れてくる清浄水により行うよりも、確実である。
【考案を実施するための最良の形態】
【００１２】
［第１の実施の形態］
以下、図面を参照して本考案の第１の実施の形態を説明する。図１は、小便器の一実施の形態を示す斜視図で、図２は図１に示す小便器の断面、及び、制御構成を説明するための図ある。
【００１３】
図１において、小便器１の下部には、手前側（排尿者側）に箱状に突出する垂れ受け部２が形成され、その上面は凹状で小便の垂れを受けるための垂れ受け面２１が形成されている。さらに、垂れ受け面２１の奥側には排水口３が設けられていて、垂れ受け面２１の中央には、清浄水等が排水口３に流れやすくするための溝部２２が形成されている。また、排水口３は、垂れ受け面２１の手前側であってもよい。また、小便の垂れを確実に受けられるように、排尿時に排尿者が垂れ受け部２を跨いで小便器１に近づいて立つことが可能な突出幅になっている。且つ、ズボン等が垂れ受け部２に触れないように、また、小便の垂れを受けるのに十分となるように、本実施の形態では、一例として突出幅１５０ｍｍ（図１参照）、床面からの高さ２００ｍｍ（図２参照）、突出長さを１８０ｍｍとした（図２参照）。
【００１４】
一方、垂れ受け部２の奥側には、垂れ受け部２から上方に向かう立壁部４が、水平方向の断面形状が上方になるに従い大きくなり、手前及び上部が開口するように形成されていて、その立壁部４の中段には、貯留池５が形成されている。図２に示すように、立壁部４の高さは、床面から７５０ｍｍとし、大人の腰より低く設定したので、排尿の際に、小便を下に向けて放出することになるが、この貯留池５は排尿時の標的となるのである。したがって、排尿者は、標的に向けて排尿するように小便器１に近づこうとする、そのとき、垂れ受け部２が上述のような形状であるために、排尿者は近づいて排尿することになる。
【００１５】
また、図２に示すが、貯留池５の底部５１には、給水口５２が備えられていて、給水口５２から噴出される清浄水により、貯留池５には清浄水が入れ替えられるとともに常時貯水されるようになっている。したがって、貯水されている清浄水によって貯留池５に向けてなされた小便が飛び散らないようになされる。また、立壁部４の上端側に給水口４２が備えられていて、詳細には図示しないが立壁部４の端面及び垂れ受け部２上側の端面には水路が形成されていて、給水口４２から噴出される清浄水を導出して、立壁部４の内面、垂れ受け面２１を洗浄するようになっている。
【００１６】
また、給水口４２、５２からの清浄水の噴出は、制御部１００が電磁バルブ１０１の開閉を制御することで行われる。具体的には、人体センサー１０２が小便器１の上方に排尿者と対向するように取り付けられていて、制御部１００は、この人体センサー１０２を用いて所定の距離範囲に排尿者が所定時間立ち止まった場合に排尿者ありと検知し、その後排尿者が離れたことを検知した場合に、電磁バルブ１０１を制御して給水口４２、５２からの清浄水を噴出させるのである。このような制御を行うために、制御部１００は、ＣＰＵ（図示せず）と、制御プログラム等を記憶するメモリ（図示せず）と、を含んで構成される。
【００１７】
上述のような構成により、排尿者は、小便器１に対向して垂れ受け部２を跨いで立ち、小便を貯留池５に向けて放出するので、小便が飛び散らずかつ小便の垂れを垂れ受け面２１で受けるので、床を汚すことが無い。また、排尿者が小便器１から離れると、給水口４２、５２からの清浄水を噴出させ、給水口５２からの噴出により、貯留池５の清浄水が入れ替えられ、給水口４２からの噴出により、立壁部４及び垂れ受け面２１が清浄される。したがって、小便による汚れを無くし、臭気の発生を抑えることができる。
【００１８】
上記の例では、給水口として、貯留池５の底部５１の給水口５２及び立壁部４の上端側の給水口４２の２つを備えたが、貯留池５には給水口を備えずに、給水口４２から噴出され立壁部４を流れる清浄水で貯留池５の清浄水を入れ替えるようにしてもよい。ただし、本実施の形態のように、貯留池５の底部５１に給水口を備えることにより、確実に清浄水を入れ替えることができ清潔である。また、給水口５２は、貯留池５の底部５１に限らず貯留池５の側面にあってもよい。
【００１９】
［第２の実施の形態］
次に、図面を参照して本考案の第２の実施の形態を説明する。なお、以下には第１の実施の形態と実質的に同様の構成については、詳細な説明を省略し、主に異なる点について述べる。
【００２０】
図３は、第２の実施の形態としての図１に示した小便器１の変形例の小便器１ａを示すもので、（ａ）は正面図、（ｂ）は上面図、（ｃ）は断面図である。図３に示すように、中段に貯留池５を備え、排水口３を手前側に設けて、貯留池５から排水口３の間をつなぐ斜面で垂れ受け面２１を形成した。また、図１のように垂れ受け部２の幅を前後方向で同じにして突出させずに、図３に示すように垂れ受け部２を奥側の立壁部４から手前側になるに従い幅が狭くなるようにすることで、排尿時に排尿者が垂れ受け面２１に対し跨いで立つことを可能にした。
【００２１】
小便器１ａは、図３に示すような構成により、図１の小便器１と同様に、排尿者は、小便器１ａに対向して垂れ受け部２を跨いで立ち、小便を貯留池５に向けて放出するので、小便が飛び散らずかつ小便の垂れを垂れ受け面２１で受けるので、床を汚すことが無い。
【図面の簡単な説明】
【００２２】
【図１】本考案に係る小便器の一実施の形態を示す斜視図である。
【図２】図１に示した小便器断面、及び、制御構成を説明するための図である。
【図３】図１に示した小便器とは異なる本考案に係る小便器の（ａ）正面図、（ｂ）平面図及び（ｃ）断面図である。
【符号の説明】
【００２３】
１、１ａ  小便器
２  垂れ受け部
２１  垂れ受け面
２２  溝部
３  排水口
４  立壁部
４２  給水口
５  貯留池
５１  底部
５２  給水口
１００  制御部
１０１  電磁バルブ
１０２  人体センサー
【図１】
0003107169.tif 000003
【図２】
0003107169.tif 000004
【図３】
0003107169.tif 000005